(57)【要約】【課題】火事などの非常事態にも対処可能なエレベータ装置を提供すること。【解決手段】実施形態の非常用エレベータ装置は、各階のホールの位置に停止し、昇降するエレベータかごと、各階の前記ホールにおいて、前記エレベータかごが停止する位置で前記エレベータかごに面して設けられ、横方向に開閉が可能な複数の小扉から成るホール扉と、を有してなる。【選択図】図１
2012180174.tif 000002
【特許請求の範囲】
【請求項１】
各階のホールの位置に停止し、昇降するエレベータかごと、
各階の前記ホールにおいて、前記エレベータかごが停止する位置で前記エレベータかごに面して設けられ、横方向に開閉が可能な複数の小扉から成るホール扉と、
を有してなることを特徴とする非常用エレベータ装置。
【請求項２】
各階のホールの位置に停止し、昇降するエレベータかごと、
各階の前記ホールにおいて、前記エレベータかごが停止する位置で前記エレベータかごに面して設けられ、横方向に開閉が可能な複数の小扉から成るホール扉と、
非常時に押される非常時ボタンと、
この非常時ボタンが押されたときには目的階に達したときに、その階のホール扉の一部の前記小扉を開くホール扉開閉駆動部と、
を有してなることを特徴とする非常用エレベータ装置。
【請求項３】
前記ホール扉は、上中下の３段の小扉から成り前記非常時ボタンが押されたときには、下段の小扉が開けられることを特徴とする請求項２記載の非常用エレベータ装置。
【請求項４】
前記ホール扉は、非常時でないときには、左右２つに開くことを特徴とする請求項３記載の非常用エレベータ装置。
【請求項５】
各階のホールの位置に停止し、昇降するエレベータかごと、
各階の前記ホールにおいて、前記エレベータかごが停止する位置で前記エレベータかごに面して設けられ、横方向に開閉が可能な複数の小扉から成るホール扉と、
前記エレベータかご内に設けられた行先階ボタンと、
この行先階ボタンにより指示された目的階に達したときに、その階のホール扉を開くホール扉開閉駆動部と、
前記エレベータかご内に設けられた非常時ボタンと、
前記行先階ボタン及び前記非常時ボタンが押されたときには、前記行先階ボタンにより指示された目的階に達したときには、前記行先階ボタンのみが押されたときよりも、ホール扉を狭く開くように前記ホール扉開閉駆動部に指示するホール扉開閉指示部と、
を有してなることを特徴とする非常用エレベータ装置。
【請求項６】
前記ホール扉は、下段に小扉を有し、前記非常時ボタンが押されたときには、この下段の小扉のみが開くことを特徴とする請求項５記載の非常用エレベータ装置。
【発明の詳細な説明】
【技術分野】
【０００１】
本発明の実施形態は、非常用エレベータ装置に関する
【背景技術】
【０００２】
エレベータ装置は、通常、上下方向に移動（昇降）するエレベータかごと、このエレベータかごを上下させるための機構と、各フロアに設けられたホールを有する。そして、各階のホールには、ホール扉が設けられ、ホールに設けられたボタンを押すと、エレベータかごがその階に来て、エレベータかごの扉が開くと共に、ホール扉も開き、かご内に人が入り、かご内に設けられた各階のボタンを押すと、かごの扉及びホール扉を閉めてエレベータかごはその階のホールに向かう。各ホールに設けられる扉は、両開きのものと片方開きのものがあるが、当該階のホールに到着すると、通常、全開する。しかし、火事等、非常の場合には、ホール扉が全開すると、炎が更に燃え広がるおそれがある。
【０００３】
そこで、乗場の戸（ホール扉）やその近傍に温度検知器と煙検知器を設けてこれらの検知器により火事などが検知された場合、その階へのかご呼び登録を禁止したり、その出入口の自動解放を禁止する非常用エレベータが知られている。
【先行技術文献】
【特許文献】
【０００４】
【特許文献１】特開平７−２４７０７６号公報
【発明の概要】
【発明が解決しようとする課題】
【０００５】
本発明の課題は、火事などの非常事態にも対処可能なエレベータ装置を提供することである。
【課題を解決するための手段】
【０００６】
上記の課題を解決するために、実施形態は、各階のホールの位置に停止し、昇降するエレベータかごと、各階の前記ホールにおいて、前記エレベータかごが停止する位置で前記エレベータかごに面して設けられ、横方向に開閉が可能な複数の小扉から成るホール扉と、を有してなることを特徴とする非常用エレベータ装置を提供する。
【図面の簡単な説明】
【０００７】
【図１】一実施形態のエレベータ装置の構成を示す図である。
【図２】一実施形態の非常時にホール扉が開いた様子を示す斜視図である。
【図３】一実施形態のホール扉とエレベータかごの関係を示す図である。
【図４】一実施形態のホール扉の構造を示す断面図である。
【図５】一実施形態のホール扉開閉制御の電気回路構成を示す図である。
【図６】一実施形態のエレベータ装置の動作を説明するための図である。
【発明を実施するための形態】
【０００８】
以下、実施形態について説明する。
【０００９】
図１にこの実施形態のエレベータ装置の構造を示す。エレベータかご１１と錘１２は、ロープ１３によりつながれて昇降路１４内に設けられ、巻上げ機１５とローラ１６の回転方向により互いに逆方向に昇降する。
【００１０】
エレベータかご１１には、その前面にかご扉１１ａが設けられており、エレベータかご１１は、建物の各フロア、例えば３階及び４階のホール１７ａ，１７ｂ，・・に停止することが可能である。
【００１１】
これらの各ホール１７ａ，１７ｂのエレベータかご１１が昇降する前面には、壁１８が設けられ、壁１８には各ホールに対応してホール扉１９ａ，１９ｂが設けられている。
【００１２】
したがって、エレベータかご１１が内部で押された階ボタンに対応する目的の階、例えば４階に到達すると、ホール扉１９ｂが開くと共にエレベータかごの扉１１ａも開く。
【００１３】
図２に例えば４階のホール１７ｂからホール扉１９ｂを見た斜視図を示し、図３にエレベータかご１１が、例えば４階のホール１７ｂに到達したときの、ホール扉１９ｂとエレベータかご１１の位置関係を示す。図４は、このホール扉１９ｂの断面構造を示す図である。
【００１４】
ホール扉１９ｂは、図２及び図３に示すように上中下の３段の小扉に分割され、左右に開くことが可能である。上段の扉２０ｕは２つの小扉である、上段左扉２０ｕＬと上段右扉２０ｕＲとから成り、中段扉２０ｍは２つの小扉である中段左扉２０ｍＬと中段右扉２０ｍＲとから成り、下段扉２０ｄは２つの小扉である下段左扉２０ｄＬと下段右扉２０ｄＲとから成る。ホール扉１９ｂの近くには、行先階ボタン２３が設けられ、別の場所に非常時ボタン２４が設けられている
図２及び図３は、下段左扉２０ｄＬと下段右扉２０ｄＲを左右に少し開いた状態を示している。図４は、ホール扉１９ｂの断面図を示す。ホール扉の近辺には行先階ボタン２３と非常時ボタン２４が設けられている。
【００１５】
このホール扉の上下に対向して、断面が凹部形状のガイド部材４１ａ，４１ｂが設けられ、その３分の１の位置に両方凹部形状を有するガイド部材４１ｃ，４１ｄが設けられている。ガイド部材４１ａとガイド部材４１ｃの間には上段左扉２０ｕＬと上段右扉２０ｕＲが横方向に移動可能に挿入され、ガイド部材４１ｃとガイド部材４１ｄの間には中段左扉２０ｍＬと中段右扉２０ｍＲが横方向に移動可能に挿入される。またガイド部材４１ｄとガイド部材４１ｂの間には下段左扉２０ｄＬと下段右扉２０ｄＲが横方向に移動可能に挿入される。ガイド部材４１ｃ，４１ｄは中央で切られている。図２に示すように、通常の場合、ホール扉１９ｂは、上段左扉２０ｕＬ、ガイド部材４１ｃ、中段左扉２０ｍＬ、ガイド部材４１ｄ及び下段左扉２０ｄＬが一体となって動作し、上段右扉２０ｕＲ、ガイド部材４１ｃ、中段右扉２０ｍＲ、ガイド部材４１ｄ及び下段右扉２０ｄＲが一体となって動作する。そして、ホール扉１９ｂは左右に開く。
【００１６】
ホール扉１９ｂと、この扉の駆動制御の関係を図５に示す。この制御系は、ホール扉の開閉を駆動制御するホール扉開閉駆動部５１と、このホール扉開閉駆動部５１に開閉の指示制御信号を送るホール扉開閉指示部５２と、行先階を指定するかご内行先階ボタン５３と、火災などの非常時に押されるかご内非常時ボタン５４とを有する。かご内行先階ボタン５３とかご内非常時ボタン５４はエレベータかご内に設けられており、行先階ボタン２３と非常時ボタン２４は、各ホール扉の近辺に設けられている。
【００１７】
エレベータかご内で、単にかご内行先階ボタン５３を押した場合には、目的階に着いた時ホール扉は、上段中段下段の扉が一体になって、扉が左右に開く。一方、目的階のかご内行先階ボタン５３とかご内非常時ボタン５４を押した場合には、目的階のホール扉の下段扉のみが、図２に示すように開く。この動作は、ホール扉開閉指示部５２からホール扉開閉駆動部５１への制御のための指示信号に基づいて行われる。
【００１８】
次にこのエレベータ装置の動作を、図６に示すフローチャートに従って説明する。まず、ステップＳ５０１で、かご内行先階ボタン５３が押されると、ステップＳ５０２で乗った階のホール扉及びエレベータかごの扉を閉め、エレベータかごは行先階ボタンにより押された目的階に向かって昇降する。
【００１９】
ステップＳ５０４で、目的の行先階に到着すると、ホール扉開閉指示部５２から、ホール扉開閉鼓動部５１にホール扉を開くよう指示する。このときステップＳ５０５で、かご内非常時ボタン５３が押されていたか検知する。かご内非常時ボタン５３が押されていなかったときには、ステップＳ５０６で、ホール扉開閉制御駆動部５１では、ホール階の扉を上中下段の扉を一体として全体を左右に開く。
【００２０】
一方、ステップＳ５０５で、かご内非常時ボタン５３も押されていたことが検知されたときには、その旨の制御信号をホール扉開閉指示部５２からホール扉開閉駆動部５１にも送る。
【００２１】
すると、ステップＳ５０７では、ホール扉開閉駆動部５１は、図２に示すように、目的の行先階では、ホール扉開閉駆動部５１は、下段左扉２０ｄＬ，下段右扉２０ｄＲのみを左右に開く。この下段の扉の高さは、０．５ｍ程度以上とすれば、例えば消防士などが消火を行うためにホール扉を潜り抜けることができ、適切である。
【００２２】
図２に示すような、ホールに設けられている行先階ボタン２３を押すとエレベータかご１１は、その行先階ボタンの押された階のホールに来て、エレベータかごの扉と、ホール扉を左右に開く。一方、行先階ボタン２３と、非常時ボタン２４を押すと、このホールでは、図２に示すように、下段の扉のみが開くことになる。
【００２３】
このようにして、通常の場合には、ホール扉を左右に開き、非常時には、下段の扉を左右に開くことができ、火災などの場合に火の広がりなどを防ぐことができる。
【００２４】
上記実施形態では、ホール扉のみについて触れたが、エレベータかご内の扉も、通常は非常時には狭く開けるようにしてもよい。
【００２５】
上記実施形態では、ホール扉を左右に開けるようにしたが、左方向又は右方向の一方のみにホール扉をあけるようにしてもよい。この場合にも通常の場合には全体を開け、非常時にはその下段の扉のみを開ける。
【００２６】
上記実施形態では、非常時に開ける扉を下段の扉のみとした。しかし、中段の扉も下段の扉と一体として開けるようにしてもよい。また、非常時に中段の扉のみを開けるようにしてもよい。要するに非常時ボタンが押されたときには、押されてないときよりも、ホール扉の開け方を小さくすればよい。
【００２７】
実施形態によれば、火災などの非常時には、ホール扉の一部扉のみを開けることができ、火災の拡大を防ぐことが可能となる。
【００２８】
本発明のいくつかの実施形態を説明したがこれらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２９】
１１・・・・エレベータかご、
１７ａ，１７ｂ，・・・ホール、
１８・・・・壁、
１９ａ，１９ｂ・・・・ホール扉、
２０ｕＬ・・・・上段左扉、
２０ｕＲ・・・・上段右扉、
２０ｍＬ・・・・中段左扉、
２０ｍＲ・・・・中段右扉、
２０ｄＬ・・・・下段左扉、
２０ｄＲ・・・・下段右扉、
２３・・・・行先階ボタン、
２４・・・・非常時ボタン、
５１・・・・ホール扉開閉駆動部、
５２・・・・ホール扉開閉指示部、
５３・・・・かご内行先階ボタン、
５４・・・・かご内非常時ボタン。
【図１】
2012180174.tif 000003
【図２】
2012180174.tif 000004
【図３】
2012180174.tif 000005
【図４】
2012180174.tif 000006
【図５】
2012180174.tif 000007
【図６】
2012180174.tif 000008